(57)【要約】【目的】人間の頭髪や犬や猫などのペットの体毛をカットして整える作業を安全且つスピーディに行うためのヘアーカット作業用多重連装剃刀具をその応用的な使用形態と共に提供することである。【構成】把持部２を兼ねた長尺状板材３の一面側に安全ガード部材５に保持された状態で複数個の剃刀４が向きを揃えて相互に並行且つ長尺状板材３に対して直立して取付けられていることを特徴とするヘアーカット作業用多重連装剃刀具１を構成する。【選択図】      図１
0003105866.tif 000002
【実用新案登録請求の範囲】
【請求項１】
把持部を兼ねた長尺状板材の一面側に安全ガード部材に保持された状態で複数個の剃刀が向きを揃えて相互に並行且つ長尺状板材に対して直立して取付けられていることを特徴とするヘアーカット作業用多重連装剃刀具。
【請求項２】
剃刀の刃の直前にカットされるべき髪の向きを整えるための棒状体が備えられていることを特徴とする請求項１に記載のヘアーカット作業用多重連装剃刀具。
【請求項３】
握持作業用の柄部体に設けた保持部に対して自在な着脱ができるように着脱機構を備えたことを特徴とする請求項１または請求項２に記載のヘアーカット作業用多重連装剃刀具。
【請求項４】
ヘアーブラシ中に設けた保持部に対して自在な着脱ができるように着脱機構を備えたことを特徴とする請求項１または請求項２に記載のヘアーカット作業用多重連装剃刀具。
【請求項５】
長尺状板材に取付けられた個々の剃刀が交換可能なものとされていることを特徴とする請求項１〜請求項４の何れか一つに記載のヘアーカット作業用多重連装剃刀具。
【考案の詳細な説明】
【技術分野】
【０００１】
本考案は、人間の頭髪や犬や猫などのペットの体毛をカットして整える作業を安全且つスピーディに行うためのヘアーカット作業用多重連装剃刀具を提供しようとするものである。
【背景技術】
【０００２】
理容室や美容院で頭髪をカットする際に微妙なカッティング作業をするために１本の剃刀を使用することが行われている。すなわち、ヘアーデザインの仕上げ作業は剃刀を使うのが普通である。
【０００３】
また、大雑把な髪すき作業を行う場合にも自然な仕上がり感を出すために剃刀を用いたカッティングを行うことが多い。
【０００４】
このような剃刀を用いたカッティング作業は、ペットである犬や猫の体毛をきれいに整えるトリミング作業においても行われている。
【０００５】
このような剃刀を用いたヘアーカット作業を効率的に行うための提案としては以下の如きものがある。
【特許文献１】特願２００３−３３７２３１号
【考案の開示】
【考案が解決しようとする課題】
【０００６】
上記したような剃刀を使ったヘアーカット作業は細かな仕上げ作業や自然な仕上がり感を出すためには有効であるが、効率的な作業が出来にくく、技術的にも困難である。また、肌に直接剃刀の刃を当てるような場合には素人には危険性もある。
【０００７】
上記文献に示されたものは、大雑把な髪すき作業の如きには有効であるが、このような形態で使用するのでは細かな仕上げ作業用としては不向きである。
【課題を解決するための手段】
【０００８】
本考案は、上記した課題を解消すべく検討を重ねて創案されたものであって、剃刀を使った各種ヘアーカット作業を効率的且つ安全に行えるようにするために並行に配置した複数個の剃刀を細やかな仕上げ作業用としても使い易いように工夫したものであって、具体的には以下の如くである。
【０００９】
（１）  把持部を兼ねた長尺状板材の一面側に安全ガード部材に保持された状態で複数個の剃刀が向きを揃えて相互に並行且つ長尺状板材に対して直立して取付けられていることを特徴とするヘアーカット作業用多重連装剃刀具。
【００１０】
（２）  剃刀の刃の直前にカットされるべき髪の向きを整えるための棒状体が備えられていることを特徴とする前記（１）項に記載のヘアーカット作業用多重連装剃刀具。
【００１１】
（３）  握持作業用の柄部体に設けた保持部に対して自在な着脱ができるように着脱機構を備えたことを特徴とする前記（１）項または（２）項に記載のヘアーカット作業用多重連装剃刀具。
【００１２】
（４）  ヘアーブラシ中に設けた保持部に対して自在な着脱ができるように着脱機構を備えたことを特徴とする前記（１）項または（２）項に記載のヘアーカット作業用多重連装剃刀具。
【００１３】
（５）  長尺状板材に取付けられた個々の剃刀が交換可能なものとされていることを特徴とする前記（１）項〜（４）項の何れか一つに記載のヘアーカット作業用多重連装剃刀具。
【実施例】
【００１４】
上記したような本考案の具体的な実施例を、添付図面を用いながら説明する。
図１は、本考案のヘアーカット作業用多重連装剃刀具１の具体的な実施形態の１例を示す外観斜視図である。
【００１５】
すなわち、図示のように、実際に細かな仕上げ作業をする際にヘアーカット作業用多重連装剃刀具１をしっかりと持つための把持部２を兼ねた長尺状板材３の一面側に複数個（図示では５個）の剃刀４をその刃の向きを揃えて並行状態で略垂直に直立させて取付けたもので、それぞれの剃刀４は皮膚などに直接刃先が触れることのないように安全ガード部材５に保持された状態となっている。
【００１６】
実際のヘアーカット作業に際しては、本考案の多重連装剃刀具１を把持部２によりしっかりと保持しながらカットすべき箇所において作業すると、一回の動作で５個の剃刀４を適切に機能させることができるので、一本の剃刀で作業する場合と比べると数倍の作業効率を得ることができる。
このような作業効率性は、大雑把な髪すき作業などを行おうとする際に最大限に活かされるものである。
【００１７】
また、ヘアースタイルの細かな仕上げ作業を剃刀によって行おうとする場合にも、本考案の多重連装剃刀具１では取付けられた複数個の剃刀４のすぐ近傍を把持してカット作業を行うようになっているので、作業効率性を活かしながら十分に細やかな仕上げ作業を行うことができる。
【００１８】
もちろん、より細やかな作業を行おうとする場合には、複数個の剃刀４中の１個か２個のみを使って精密なカット作業を行うなどということも可能である。
【００１９】
また、各剃刀４は安全ガード部材５を付けた状態で使用されるので、刃先部分にはカットされるべき毛髪等は当たるが皮膚などが当たるおそれはないものとされている。したがって、安全性を確保した状態で上記のような効率的な各種カット作業を実行することが可能なものとなっている。
【００２０】
なお、長尺状板材３に対する剃刀４の取付け方向に関しては、実際にカット動作する際により効率的に毛髪が刃先に当たるように、図示のように若干傾斜して取り付けるのが好ましい。
【００２１】
以上のように本考案の多重連装剃刀具１を用いれば、大雑把な髪すき作業から細かなヘアースタイルの仕上げ作業にいたるまでを他の道具を使うことなく効率的に行うことが可能である。
【００２２】
また、以上は主に人間の頭髪をカットする場合を想定して述べてきたが、犬や猫といったペット類の体毛などをきれいに刈り揃え等するトリミング作業においても本考案の多重連装剃刀具１が有効に活用できると理解される。
【００２３】
図２は、本考案のヘアーカット作業用多重連装剃刀具１について、カットされるべき毛髪等を各剃刀４の刃先直前できれいに整えて不規則なカット等を行わないようにするための棒状体６を備付ける場合の１例を示したものである。このような棒状体６の働きによって毛髪等が剃刀４に絡みつく等して望みどおりのカット作業が行えなくなることを有効に防ぐことができるようになるものである。
【００２４】
さらに、図３は、本考案の多重連装剃刀具１を握持して保持することができる柄部材７に取付けて使用する場合の１形態について示したものである。本考案の剃刀具１そのものを把持して行う場合よりも、大きな動作でより力強くカット作業を行う必要がある場合などにはこのような柄部材７に取付けて作業することが好ましい。
【００２５】
この柄部材７に対する多重連装剃刀具１の取付け手法については、自在な着脱が行えることが好ましいので、柄部材７に形成された保持部８に嵌め込み固定できるような着脱機構９を構成しておくべきである。すなわち、長尺状板材３の端部に形成された凸部９ａが保持部８の所定箇所に形成された凹部にカチッと嵌まり込んで確実な固定関係が形成されるなどといった公知の手法が採用可能である。
【００２６】
図４は、本考案の多重連装剃刀具１をヘアーブラシ１０に取付けて使用する場合に１形態を示した図面である。
このような形態でヘアーカット作業を行えば、普通のブラッシング動作をしながら所望のヘアーカットを行うことができる。
【００２７】
この場合にも多重連装剃刀具１を自在に着脱できるようにしておくことが好ましく、着脱機構に関しては図３の場合と同様に公知の手法を採用すればよい。このヘアーブラシ９は本考案の剃刀具１を取外した状態で使用すれば普通のブラシとして使うことができるものである。
【００２８】
以上説明してきた本発明のヘアーカット作業用多重連装剃刀具１は複数の剃刀４を取付けたものであり、使用を続けることによって刃先の切れ味は次第に衰えてくるものである。このような場合に、すべての剃刀４を同時に廃棄して必要な切れ味を維持するものとしても良いが、長尺状板材３に取り付けられた個々の剃刀４がそれぞれに交換可能なものとして構成しておけば、切れ味が衰えた剃刀４のみを選択的に交換するといったことも可能である。
【００２９】
以上説明したように、本考案のヘアーカット作業用多重連装剃刀具を用いれば、各種のヘアーカット作業を効率的且つ安全に行うことができ、細かな作業を伴う剃刀によるヘアーカット作業を簡便に行うことができるようになるものであって、新たな魅力ある製品として市場に広く普及する可能性を持ったものであるから、産業上の利用可能性において優れた考案であると理解されるべきものである。
【図面の簡単な説明】
【００３０】
【図１】本考案のヘアーカット作業用多重連装剃刀具の１例についての斜視図である。
【図２】図１にヘアーカット作業用多重連装剃刀具について、刃先に毛髪等を整えるための棒状体を取付ける場合の１例を示す斜視図である。
【図３】本考案のヘアーカット作業用多重連装剃刀具を握持して保持するための柄部材に取付ける場合の１例を示した斜視図である。
【図４】ヘアーブラシ中に本考案のヘアーカット作業用多重連装剃刀具を取付ける場合の１例を示した斜視図である。
【符号の説明】
【００３１】
１    ヘアーカット作業用多重連装剃刀具
２    把持部
３    長尺状板材
４    剃刀
５    安全ガード部材
６    棒状体
７    柄部材
８    保持部
９    着脱機構
９ａ    凸部
１０    ヘアーブラシ                                                              
【図１】
0003105866.tif 000003
【図２】
0003105866.tif 000004
【図３】
0003105866.tif 000005
【図４】
0003105866.tif 000006